(57)【要約】【課題】  給紙スタッカから排紙スタッカに原稿を給送する装置を軽量でかつ堅牢に構成することが出来、プラテンを開放する際の装置の開閉動作で原稿を搬送する機能部品にガタつき、位置ズレを生ずることのないドキュメントフィーダを提供する。【解決手段】  複写機、スキャナ装置などの画像読み取りプラテンの上方に排紙スタッカと給紙スタッカとをこの順に配置し、この給紙スタッカから上記プラテンを介して排紙スタッカに至る搬送経路を備えた構成において、上記プラテンを覆う扁平形状で周側縁にフランジ部を有する略箱型形状の下部フレームと、この下部フレームのフランジ部と係合するフランジ部を側縁に有する略箱型形状の上部フレームとを設ける。そして上記下部フレームには上記プラテンを覆う原稿押圧部材と上記搬送経路の一部を構成する読取部搬送ガイドとを設け、この読取部搬送ガイドには読取開口を設ける。【選択図】  図２
2006036505.tif 000002
【特許請求の範囲】
【請求項１】
原稿を読み取るプラテンの上方に据付けられ、
該プラテン上方に排紙スタッカと給紙スタッカとがこの順に配置され、
この給紙スタッカから上記プラテンを介して排紙スタッカに至る搬送経路を備えたドキュメントフィーダであって、
上記プラテンを覆う扁平形状で周側縁にフランジ部を有する略箱型形状の下部フレームと、
この下部フレームのフランジ部と係合するフランジ部を側縁に有する略箱型形状の上部フレームと、
上記下部フレームに設けられ上記プラテンを覆う原稿押圧部材と、
上記下部フレームに一体形成され上記搬送経路の一部を構成する読取部搬送ガイドと、
上記読取部搬送ガイドに設けられた読取開口と、
上記上部フレームに一体形成され原稿を積載収納する排紙スタッカと、
上記排紙スタッカの上方に位置するように上記上部フレームに設けられた給紙スタッカと、
上記上部フレームに設けられ給紙スタッカから上記読取部搬送ガイドに原稿を案内する給紙ガイドと、
上記上部フレームに設けられ上記読取部搬送ガイドから原稿を上記排紙スタッカに案内する排紙ガイドと、
上記給紙ガイドと排紙ガイドそれぞれに取付けられた搬送ローラと、
上記上部フレームに配置され上記搬送ローラを駆動する駆動モータとを備えたドキュメントフィーダ。
【請求項２】
前記上部フレームと下部フレームはそれぞれのフランジ部を係合して結合され、
前記上部フレームに取付けられた少なくとも１つのヒンジ部材で前記プラテンを有する装置に開閉自在に取付けられることを特徴とする請求項１に記載のドキュメントフィーダ。
【請求項３】
前記上部フレームは、前記排紙スタッカを構成する底面と、
この底面に連なり前記給紙ガイドを構成する湾曲ガイド板と、
このガイド板の両側部に上方に突出した断面逆Ｕ字状の膨出側壁と、
この両側部の側壁膨出部と連なる給紙方向前方の膨出側壁とがそれぞれ一体成形によって構成され、
前記給紙スタッカはこの上部フレームの給紙ガイドの給紙方向後方側に取付けられることを特徴とする請求項１又は２に記載のドキュメントフィーダ。
【請求項４】
前記給紙ガイドの両側部に位置する側壁膨出部は少なくとも一方には断面逆Ｕ字状の中空部が形成され、
この中空部に前記駆動モータの伝動機構が配置されていることを特徴とする請求項３に記載のドキュメントフィーダ。
【請求項５】
前記上部フレームには前記給紙スタッカ上の原稿を１枚ずつ分離して給送する分離ローラが組込まれ、
この分離ローラは上部フレームに開閉自在に取付けられた開閉カバーに取付けられていることを特徴とする請求項１又は２に記載のドキュメントフィーダ。
【請求項６】
前記給紙ガイドと排紙ガイドの搬送ローラはそれぞれの駆動回転軸を一対の対向する側板間に取付けられ、
この側板に前記駆動モータと前記ヒンジ部材とがそれぞれ固定されていることを特徴とする請求項２又は３に記載のドキュメントフィーダ。
【請求項７】
前記下部フレームには前記プラテンに載置した原稿を該プラテン表面に押圧する押圧部
材が取付けられていることを特徴とする請求項１乃至４に記載のドキュメントフィーダ。
【請求項８】
原稿を載置するプラテンと、このプラテン上の原稿を読み取る光電変換手段と、
上記プラテンの上方に排紙スタッカと給紙スタッカとがこの順に配置され、
この給紙スタッカから上記プラテンを介して排紙スタッカに至る搬送経路とを備え、
上記プラテンを覆う扁平形状で周側縁にフランジ部を有する略箱型形状の下部フレームと、
この下部フレームのフランジ部と係合するフランジ部を側縁に有する略箱型形状の上部フレームと、
上記下部フレームに設けられ上記プラテンを覆う原稿押圧部材と、
上記下部フレームに一体形成され上記搬送経路の一部を構成する読取部搬送ガイドと、
上記読取部搬送ガイドに設けられた読取開口と、
上記上部フレームに一体形成され原稿を積載収納する排紙スタッカと、
上記排紙スタッカの上方に位置するように上記上部フレームに設けられた給紙スタッカと、
上記上部フレームに設けられ給紙スタッカから上記読取部搬送ガイドに原稿を案内する給紙ガイドと、
上記上部フレームに設けられ上記読取部搬送ガイドから原稿を上記排紙スタッカに案内する排紙ガイドと、
上記給紙ガイドと排紙ガイドそれぞれに取付けられた搬送ローラと、
上記上部フレームに配置され上記搬送ローラを駆動する駆動モータとを備えた画像読取装置。
【発明の詳細な説明】
【技術分野】
【０００１】
本発明は複写機、スキャナ装置などの原稿を載置するプラテンにスタッカ上の原稿を１枚ずつ分離して給送し、読取り処理後の原稿を排紙スタッカに収納するドキュメントフィーダに関する。
【背景技術】
【０００２】
一般に複写機、スキャナ装置などの画像読取装置はガラスプラテン上にセットした原稿をプラテンに沿って移動するキャリッジで走査して読取っている。このような装置のプラテン上に給紙スタッカと排紙スタッカを据付け、給紙スタッカから排紙スタッカに原稿を順次給送する過程に於いて静止したキャリッジで原稿を読取るフィーダ装置が広く知られている。
【０００３】
かかるフィーダ装置はプラテンの上方に給紙スタッカと排紙スタッカを上下に並設し、給紙スタッカからプラテンの一部（露光スリット）を介して排紙スタッカに至る原稿の搬送経路を備えたユニットを読取装置に開閉自在に取付けている。つまりフィーダ装置は読取装置のプラテン上に据付けられると同時にヒンジ部材で開閉可能に取付けられ、使用者がプラテン上のフィーダ装置に原稿をセットして連続して一連の原稿を読取る場合と、フィーダ装置をプラテン上方に開放してプラテン上に原稿をセットし、この原稿をフィーダ装置で押圧して読取ることが可能となっている。
【０００４】
そこでフィーダ装置としてはプラテン上部に出来るだけ軽量でコンパクトに据付けられることがその操作性から要求される。一方給紙スタッカから排紙スタッカに至る原稿の搬送経路は装置が繰り返し開閉される過程で歪み或いはガタつきを生ずることが無く、常に安定した原稿の搬送が要求され、最近特に広汎な原稿を種々の用途で給送することが求められ正確で安定した搬送が要求されている。このように搬送経路を構成するガイド部材、搬送ローラ、駆動機材などの機能部品を確実に保持し、同時に装置全体を軽量に構成する為には装置のフレーム構造が重要であり、従来この装置フレームを合成樹脂などのモールド成形で外装カバーと一体に形成し、これに機能部品を組込むモノコック構造が広く用いられている。
【０００５】
例えば特許文献１（特開平１０−１４２８５１号公報図６）にはプラテンガラスを覆う原稿押え部材と排紙スタッカを一体化した排紙部ユニットと、この排紙部ユニットに取付けられ原稿をＵ字状に搬送する搬送部ユニットと、この搬送部ユニットの原稿挿入口に取付けられ原稿を載置する原稿台ユニットとをそれぞれ個別のユニットに構成している。そしてこれ等分離した３つのユニットを連結固定して一体化している。このような従来の構造で合成樹脂などのモノコック構造を採用するとそれぞれのユニットをそれぞれ外筐ケースに構成部品を組込み、搬送部、排紙部、原稿台の各ユニットを連結し、この連結した状態の装置をプラテンに対して開閉自在に取付けることとなる。
【特許文献１】特開平１０−１４２８５１号公報
【発明の開示】
【発明が解決しようとする課題】
【０００６】
上述のようにプラテン上方にプラテンガラスを覆う排紙部ユニットと搬送部ユニットと原稿台ユニットとを個別に製作して連結する装置構成にあっては金属ステーなどの補強フレームを多用しなければ装置を堅牢にすることが出来ず、装置の重量が増大し部品点数も多く製造コストが高くなる問題が避けられなかった。そこで本発明はプラテン上方に配置した給紙スタッカから排紙スタッカに原稿を給送する装置を軽量でかつ堅牢に構成することが出来、プラテンを開放する際の装置の開閉動作で原稿を搬送する機能部品にガタつき、位置ズレを生ずることのないドキュメントフィーダの提供をその目的としている。
【課題を解決するための手段】
【０００７】
本発明は、上記課題を解決するため以下の手段を採用したものである。
まず、本発明のドキュメントフィーダは、複写機、スキャナ装置などの画像読取プラテンの上方に排紙スタッカと給紙スタッカとをこの順に配置し、この給紙スタッカから上記プラテンを介して排紙スタッカに至る搬送経路を備えた構成において、上記プラテンを覆う扁平形状で周側縁にフランジ部を有する略箱型形状の下部フレームと、この下部フレームのフランジ部と係合するフランジ部を側縁に有する略箱型形状の上部フレームとを設ける。そして上記下部フレームには上記プラテンを覆う原稿押圧部材と上記搬送経路の一部を構成する読取部搬送ガイドとを設け、この読取部搬送ガイドには読取開口を設ける。また、上記上部フレームには原稿を積載収納する排紙スタッカを一体形成し、この排紙スタッカの上方に給紙スタッカを取付け、給紙スタッカから上記読取部搬送ガイドに原稿を案内する給紙ガイドと、上記読取部搬送ガイドから原稿を上記排紙スタッカに案内する排紙ガイドとを設ける。上記給紙ガイドと排紙ガイドにはそれぞれに搬送ローラを配置し、この搬送ローラを駆動する駆動モータを上記上部フレームに取付ける。これによって装置フレームは上下に半裁された上部フレームと下部フレームとが結合されて略箱型形状で堅牢に構成される。
【０００８】
また、上記上部フレームと下部フレームとをそれぞれのフランジ部を係合することによって結合し、この上部フレームに取付けた少なくとも１つのヒンジ部材で前記プラテンが備えられた装置に開閉自在に取付ける。これによって装置は上部フレームを主体に開閉され下部フレームの読取部搬送ガイドなどが開閉時に変形したり、位置ズレを招く恐れがない。更に、前記上部フレームには、前記排紙スタッカを構成する底面と、この底面に連なり前記給紙ガイドを構成する湾曲ガイド板と、このガイド板の両側部に上方に突出した断面逆Ｕ字状の膨出側壁と、この両側部の側壁膨出部と連なる給紙方向前方の膨出側壁とをそれぞれ一体成形によって形成する。
【０００９】
上記給紙スタッカはこの上部フレームの給紙ガイドの給紙方向後方側に取付ける。そして上記給紙ガイドの両側部に位置する側壁膨出部は少なくとも一方には断面逆Ｕ字状の中空部を形成し、この中空部に前記駆動モータの伝動機構を配置することによって装置フレームを堅牢で小型に構成することが出来る。また、上記上部フレームには前記給紙スタッカ上の原稿を１枚ずつ分離して給送する分離ローラを組込んだ開閉カバーを開閉自在に設ける。これによって搬送経路を開放して原稿詰まりなどの処置が可能となる。
【００１０】
次に本発明の画像形成装置は、原稿を載置するプラテンと、このプラテン上の原稿を読取る光電変換手段とを例えば、プラテン上の原稿を光電変換素子を搭載したキャリッジで走査して読取るようにする。そして上記プラテンの上方に排紙スタッカと給紙スタッカとをこの順に配置し、この給紙スタッカから上記プラテンを介して排紙スタッカに至る搬送経路を備えた構成において、上記プラテンを覆う扁平形状で周側縁にフランジ部を有する略箱型形状の下部フレームと、この下部フレームのフランジ部と係合するフランジ部を側縁に有する略箱型形状の上部フレームとを設ける。
【００１１】
そして上記下部フレームには上記プラテンを覆う原稿押圧部材と上記搬送経路の一部を構成する読取部搬送ガイドとを設け、この読取部搬送ガイドには読取開口を設ける。また、上記上部フレームには原稿を積載収納する排紙スタッカを一体形成し、この排紙スタッカの上方に給紙スタッカを取付け、給紙スタッカから上記読取部搬送ガイドに原稿を案内する給紙ガイドと、上記読取部搬送ガイドから原稿を上記排紙スタッカに案内する排紙ガイドとを設ける。上記給紙ガイドと排紙ガイドにはそれぞれに搬送ローラを配置し、この搬送ローラを駆動する駆動モータを上記上部フレームに取付ける。
【発明の効果】
【００１２】
本発明はプラテンを覆う下部フレームに原稿押圧部材と原稿案内ガイドとプラテンガラスを露出する読取開口とを一体に設け、この下部フレームに連結する上部フレームに排紙スタッカと給紙ガイドと排紙ガイドとを一体に設け、この給紙ガイドに連なるように給紙スタッカを取付けたものであり、この上部フレームと下部フレームとを扁平箱型形状の周側縁に設けたフランジ部品を互いに係合して合体したものを備えたものであるから略々プラテンを覆う原稿押え部材を備えた下部フレームと排紙スタッカを備えた上部フレームとは扁平形状で周側縁のフランジ部を合体した箱型形状に構成され合成樹脂等のモノコック構造を採用した場合、特別な補強フレームを多用することなく堅牢となる。
【００１３】
従って装置は軽量で構成する部品点数も少なく安価である。特に下部フレームにはプラテンに向けて原稿を案内する原稿案内ガイドと読取開口を一体に形成しているからプラテンを開放する際にこれ等の開閉動作によって読取開口部の案内ガイドに位置ズレが生ずる恐れが少なく、常に安定した原稿の読取りが可能である。
【発明を実施するための最良の形態】
【００１４】
以下図示の好適な実施の形態に基づいて本発明を詳述する。
図１はスキャナ装置のプラテン上に据付けたドキュメントフィーダの要部断面図であり、図２はそのドキュメントフィーダのフレーム構造を示す分解斜視図、図３は装置の外観を示す斜視図である。
【００１５】
一般にスキャナ装置、複写機、ファクシミリなどの画像読取装置は原稿をセットするプラテン１０と、このプラテン１０上の原稿に光を照射する光源１１と、原稿からの反射光を結像する結像レンズ１２と、この結像レンズで結像された光を光電変換する光電変換素子１３（光電変換手段）とで構成される。そしてプラテン１０上の原稿を順次移動しながら走査して原稿画像を電気信号として読取る。このような一般的な画像読取装置では原稿を載置セットするプラテン（ガラス）１０上にドキュメントフィーダ（以下フィーダと云う）を備え、このフィーダ装置で自動的に原稿を上記プラテン１０に給送して読取り、フィーダ装置を使用できない原稿のときは使用者がフィーダ装置をプラテン上方に持ち上げてプラテン上に原稿をセットした後このフィーダ装置で原稿を押えて読取る方法が広く用いられている。
【００１６】
従って、このフィーダ装置は原稿を載置する給紙スタッカ１４と、この給紙スタッカ１４上の原稿を１枚ずつ分離する分離手段１６と、この分離手段１６からの原稿を上記プラテン１０に案内する給紙ガイド１７と、プラテンの読取位置（読取位置）Ｈで原稿を案内する読取部搬送ガイド１８と、読取後の原稿を搬出する排紙ガイド２７と、この排紙ガイド２７からの原稿を収納する排紙スタッカ１５とが必要となり、これらの機能部品がプラテン上方にユニットＡとして据付けられる。
【００１７】
図１に示すように給紙スタッカ１４と排紙スタッカ１５とはプラテン１０の上方に排紙スタッカ１５、その上方に給紙スタッカ１４の順に上下に並設される。そして排紙スタッカ１５の下部にはプラテン１０上の原稿を押圧支持する原稿押圧部材４３が設けられる。つまりプラテン１０上方に原稿押圧部材４３、排紙スタッカ１５、給紙スタッカ１４の順に配置され、給紙スタッカ１４と排紙スタッカ１５との間は略断面Ｕ字状の搬送経路（給紙ガイド１７、読取部搬送ガイド１８、排紙ガイド２７で構成される）が設けられる。
【００１８】
順次これ等の構成について説明すると、給紙スタッカ１４は樹脂で原稿を載置するトレイ状に形成され、装置仕様に応じて原稿側縁を規制するサイドガイド２１、原稿の有無を検出するエンプティセンサＳ１、原稿のサイズを検出するサイズセンサ（図示せず）を装備する。給紙スタッカ１４、排紙スタッカ１５の先端部には載置した原稿の最上紙と接してこれを繰り出すピックアップローラ２２が設けられる。このピックアップローラ２２はローラ、ギアなどで構成され給紙スタッカ１４上方の退避位置から原稿と接する作動位置との間で昇降自在に設けられる。
【００１９】
図示のものは分離ローラ１６ａの駆動軸１６ｂに揺動自在のブラケット２３を設け、このブラケット２３の先端にローラを回転自在に支持してピックアップローラ２２を構成している。ピックアップローラ２２の下流側には分離手段１６を設ける。図示の分離手段１６は分離ローラ１６ａとこれに圧接した分離パッド２４で構成されている。その構造は良く知られているので省略するが、分離手段１６としてはローラ或いはベルトで分離ローラ１６ａを構成して給紙スタッカ１４上の原稿を給送し、これと圧接する摩擦パッド、リタードローラ、或いはベルトで原稿の重送を阻止する構造を採用する。
【００２０】
分離手段１６で１枚に分離された原稿はプラテン１０上の読取位置Ｈに給紙ガイド１７に沿って導かれるが、この給紙ガイド１７中に原稿の曲り（スキュー）を修正するレジストローラ２５と読取位置に定速度で原稿を搬送する給送ローラ２６を配置する。給紙ガイド１７は給紙スタッカ１４から原稿をプラテン１０の読取位置Ｈに導くよう湾曲したペーパーガイドで構成され、原稿経路を形成する一対のガイド面を備えている。レジストローラ２５は互いに圧接した一対のローラ２５ａと２５ｂで構成され、図示２５ａが駆動ローラ、２５ｂが従動ローラであり、分離手段１６で繰り出された原稿を静止状態のレジストローラ２５に突き当ててループ状に湾曲することによって原稿先端の曲り（スキュー）を修正する。同時にこのレジストローラ２５は先の原稿がプラテンで読取処理されている間に次の原稿を分離手段１６で分離給送し、このローラ位置で待機させるように制御される。
【００２１】
給送ローラ２６は読取位置Ｈの上流側に配置され一対のローラ２６ａと２６ｂで構成される。図示ローラ２６ａが駆動ローラ、ローラ２６ｂが従動ローラである。この給送ローラ２６は読取位置Ｈに原稿を所定の速度で給送し、その速度は読取解像度、カラー、モノクロ、グレースケールなどの読取条件によって設定される。給送ローラ２６の下流側にはプラテン１０の読取位置Ｈに原稿を案内する読取部搬送ガイド１８を構成する搬入ガイド１８ａが設けられる。この搬入ガイド１８ａは給送ローラ２６で繰り出した原稿先端がスムーズに読取位置Ｈに進入し、原稿後端が読取位置Ｈでバタつかないように湾曲した先鋭状のガイド部材で形成され、場合によってはその先端にポリエステルフィルムなどの樹脂フィルムの弾性片を設ける。
【００２２】
またプラテン１０の読取位置Ｈには読取開口１８ｂが設けられ、その下流側にはプラテン１０から原稿を掬い上げる搬出ガイド１８ｃが設けられている。従ってプラテン１０の読取位置Ｈには読取部搬送ガイド１８が搬入されることとなる。上記搬出ガイド１８ｃと対向して排紙ガイド２７が設けられ、この両ガイドで排紙経路２８が構成される。この排紙経路２８は排紙スタッカ１５の入口端にプラテンの読取位置Ｈから掬い上げた原稿を搬出する。そしてこの排紙経路２８には排紙ローラ２９が駆動ローラ２９ａと従動ローラ２９ｂで配置され、原稿を順次排紙スタッカ１５に放出する。図示３０は排紙センサで原稿後端がスタッカ内に搬出されたか否かを検出する。
【００２３】
以上説明したピックアップローラ２２、分離ローラ１６ａ、レジストローラ２５、給送ローラ２６、排紙ローラ２９の駆動は駆動モータから伝達され、設計仕様によって１つのモータ或いは複数のモータで構成される。駆動モータを単一のモータで構成する場合には正逆転モータを用い、その一方向回転でピックアップローラ２２と分離ローラ１６ａを回転し、逆方向回転でレジストローラ２５と給送ローラ２６と排紙ローラ２９を回転駆動する。そしてピックアップローラ２２はこれを支持しているブラケット２３を分離ローラ１６ａの回転軸１６ｂにバネクラッチ（図示せず）を介して軸承し、同時に回転軸１６ｂの回転をベルトなどでピックアップローラ２２に伝達する。
【００２４】
このバネクラッチはモータの一方向回転でピックアップローラ２２と分離ローラ１６ａとが図１時計方向に回転し、ブラケット２３はバネクラッチが弛んで自重で図１下側に降下するように設定する。またモータの逆方向回転はワンウェイクラッチでピックアップローラ２２と分離ローラ１６ａには回転が伝達されず、ブラケット２３はバネクラッチが緊張して図１反時計方向に回転してピックアップローラ２２を上昇させるようにそれぞれ構成する。
【００２５】
従ってモータの一方向回転でピックアップローラ２２と分離ローラ１６ａは原稿を給送する方向に回転し、この回転と同時にピックアップローラ２２は上昇した退避位置から給紙スタッカ１４上の原稿と接する位置に降下する。一方モータの逆回転ではピックアップローラ２２と分離ローラ１６ａは停止状態でピックアップローラ２２は給紙スタッカ１４上の原稿と接する位置から上方に退避することとなる。上記モータの逆方向回転はレジストローラ２５、給送ローラ２６、排紙ローラ２９にそれぞれ原稿を下流側に搬送するように伝達する。
【００２６】
上記構成で給紙スタッカ１４上の原稿は分離ローラ１６ａで１枚ずつ分離され給紙ガイド１７に沿ってレジストローラ２５に到達する。次いで駆動モータを逆転するとレジストローラ２５から原稿はプラテン１０の読取位置Ｈに向かって給送され、給送ローラ２６で読取位置Ｈに進入する。この時、給紙ガイド１７に配置されたセンサ（図示せず）で原稿先端を検知し、原稿先端が読取位置Ｈに到達する見込み時間で画像読取装置Ｂは読取を開始し、順次読取位置Ｈを通過する原稿を読取る。プラテン１０を通過した原稿は排紙経路２８に導かれ排紙スタッカ１５上に積載収納される。
【００２７】
そこで本発明は上述の各機能部品を外装ケーシング内に特別なシャーシなどのフレーム枠組を設けることなく、例えば合成樹脂のモールド成形で外装ケーシングと一体にフレーム構造を形成する。そしてこの外装ケーシングに搬送経路、搬送ローラなどのフィーダ機能部品を組付ける所謂モノコック構造を以下のように構成する。
【００２８】
それぞれ外装ケーシングを構成する下部フレーム４０と上部フレーム７０を設ける。下部フレーム４０は、プラテン１０を覆う略々半裁箱型形状に構成する。この箱型形状の下部フレーム４０は略々プラテン１０全体を覆う底壁部４１と周縁にフランジ４０ａを有する側壁部４２を合成樹脂のモールド成形で一体に形成する。そして底壁部４１に原稿押圧部材４３と、プラテン１０の読取位置Ｈに原稿を案内する読取部搬送ガイド１８を設ける。この読取部搬送ガイド１８は搬入ガイド１８ａと読取開口１８ｂと搬出ガイド１８ｃとを備え、搬入ガイド１８ａには前述の給送ローラ２６の従動ローラ２６ｂが取付けてあり、搬出ガイド１８ｃには前述の排紙ローラ２９の従動ローラ２９ｂが取付けてある（図７参照）。
【００２９】
搬入ガイド１８ａと搬出ガイド１８ｃに図示のような搬送方向のリブを形成することが原稿のスムーズな搬送の為には好ましい。尚排紙ローラ２９の従動ローラ２９ｂは排紙経路２８の距離関係から下部フレーム４０に設けたが、これは排紙経路２８の構成によっては後述する上部フレーム７０に設けても良い。原稿押圧部材４３は下部フレーム４０の底面壁がプラテン１０上に原稿を押圧するように下部フレーム４０の一部がこれを形成するようにしても良いが、この原稿押圧部材４３は白色で柔軟な板材で構成することが好ましい。図示のものは下部フレーム４０の底面壁に開口（図７の付号４３部位）を形成し、この開口にスポンジなどの多孔質板部材を取付けて原稿押圧部材４３を構成してある。
【００３０】
次に上部フレーム７０について説明すると、上部フレーム７０は排紙スタッカ１５と給紙スタッカ１４と開閉カバー７３で構成される。そしてこの上部フレーム７０は下部フレーム４０と同様に略々半裁箱型形状に合成樹脂の一体成形で形成される。またその周側縁部には前記下部フレーム４０のフランジ４０ａと互いに係合するフランジ７０ａが設けられている。そこで排紙スタッカ１５は上部フレーム７０と一体に樹脂のモールド成形で構成され、外装ケーシングの一部を形成する。また上記給紙スタッカ１４は排紙スタッカ１５とは別に樹脂のモールド成形で形成され、図２に示すようにサイドガイド２１と後端補助トレイ１４ａを備えている。この給紙スタッカ１４には先端部（図２左側）の左右側部に図示しないが固定用のフックが設けてあり、このフックを上部フレーム７０の掛止穴７４に嵌合することによって着脱自在に取付けられる。
【００３１】
つまり上部フレーム７０は排紙スタッカ１５を構成する底面部とこの底面に連なり前記給紙ガイド１７を構成する湾曲ガイド部７６と、この湾曲ガイド部７６の両側部に上方に突出した断面逆Ｕ字状の膨出側壁７５ａ、７５ｂが形成され、この左右の膨出側壁７５ａ、７５ｂを連通する給紙方向前方に位置する膨出側壁７７が一体成形されている。つまり上部フレーム７０は排紙スタッカ１５を一体に有し、この排紙スタッカ１５の上方に給紙スタッカ１４が着脱自在に取付けられ、この給紙スタッカ１４から排紙スタッカ１５に至る湾曲ガイド部７６と、この湾曲ガイド部７６の両側に膨出側壁７５ａ、７５ｂと給紙方向前方側に位置する膨出側壁７７が一体に形成されている。
【００３２】
従って、上部フレーム７０はその周側縁のフランジ７１と左右側部及び給紙前方側の膨出側壁７５ａ、７５ｂ及び７７で強靱な外装部材に構成される。更に上部フレーム７０には開閉カバー７３が開閉自在に設けられその構造及び機能は後述する。そこで上部フレーム７０には搬送経路を構成する給紙ガイド１７と排紙ガイド２７が組込まれ、この搬送経路に配置されるレジストローラ２５、給送ローラ２６、排紙ローラ２９をユニット化した搬送ユニット８１が組込まれる。図７に示すように給紙ガイド１７は湾曲したペーパーガイドで構成され、給紙スタッカ１４から延長した湾曲ガイド部７６にビスなどで固定して取付けられ原稿を給紙スタッカ１４からプラテン１０に案内ガイドする。同様に排紙ガイド２７も樹脂のモールド成形で湾曲したペーパーガイドを形成し、上述の湾曲ガイド部７６にビスなどで固定する。
【００３３】
特にこの排紙ガイド２７には読取位置Ｈで原稿をバックアップするバックアッププレート３１が一体に設けてあり、このバックアッププレート３１は白色のフィルム材で構成してある。従って、下部フレーム４０に形成した搬送ガイド１８ａ、読取開口１８ｂ及び搬出ガイド１８ｃと対向する位置に排紙ガイド２７が配置され、読取開口１８ｂ位置で原稿を裏側からバックアップしてガイドすると同時にプラテン１０から掬い上げられた原稿を排紙スタッカ１５に案内する。上記搬送ユニット８１は金属などの比較的堅牢な左右一対の側板フレーム７８ａ、７８ｂに駆動モータＭとレジストローラ２５の回転軸２５ｃと、給送ローラ２６の回転軸２６ｃと排紙ローラ２９の回転軸２９ｃとを一体にユニット化する。
【００３４】
この駆動モータＭと各回転軸との間には伝動機構（図示せず）が歯車ベルト等で構成され、側板フレーム７８ａ側に取付けてある。そこで搬送ユニット８１は上部フレーム７０に次のように組込まれる。まず駆動モータＭは膨出側壁７７のモータ収容部７７ａに配置され、側板フレーム７８ａは膨出側壁７５ｂの伝動機構収容部７５ｃに配置され、他方の側板フレーム７８ｂは膨出側壁７５ａの側板収容部７５ｄに配置され、左右の側板フレーム７８ａ、７８ｂが上部フレーム７０にビスなどで固定される。また側板フレーム７８ａにはヒンジ７９が取付けられ、このヒンジ７９は画像読取装置Ｂのプラテン１０の側部に配置されるフレームに取付けられる。
【００３５】
同様に上部フレーム７０にはもう１つのヒンジ８０が取付けられ、このヒンジ８０の他方は画像読取装置Ｂのフレームに取付けられる。このように駆動モータＭと伝動機構と各搬送ローラの回転軸を左右一対の側板フレーム７８ａ、７８ｂに取付けこの側板フレーム７８ａをこれに設けたヒンジ７９で画像読取装置Ｂに開閉自在に取付けてある。これは比較的重量が大きい駆動モータと伝動機構を直接画像読取装置Ｂのフレームに取付けることによって上部フレーム７０をより軽量に構成するためである。尚上部フレーム７０に直接取付けたヒンジ８０は上述のヒンジ７９の補助ヒンジとして軽量かつ簡素なヒンジ機構で小型に構成してある。これは開閉時にヒンジに及ぶ負荷が小さい為である。
【００３６】
つまりヒンジ７９は駆動モータＭ、伝動機構、各搬送ローラの回転軸（２５ｃ、２６ｃ、２９ｃ）などを支持する側板フレーム７８ａに一端を固定し、その他端を画像読取装置Ｂのフレームに固定することによって大きな荷重を支える構造にし、これ等の荷重を軽減するスプリングを設ける。一方の補助ヒンジ８０は上部フレーム７０の排紙スタッカ１５側にその一端を固定し、他端は画像読取装置Ｂのフレームに固定し、その支える荷重は小さく、その負荷を軽減する緩衝スプリングは弱いバネで構成するか或いは緩衝スプリングを設けない。
【００３７】
次に前述のピックアップローラ２２、分離ローラ１６ａ及び従動側レジストローラ２５ｂは上部フレーム７０に組込まれるが、その構造について説明する。
図示実施例に示すようにプラテン１０上方に排紙スタッカ１５と給紙スタッカ１４を並べて配置し、給紙スタッカ１４から排紙スタッカ１５に略断面Ｕ字状の搬送経路で原稿を搬送する場合には、この搬送経路で用紙詰り（ジャム）が発生したり、搬送経路に配置したローラに塵埃が付着したり、経路に配置したセンサが故障することがある。このような用紙ジャムが発生したときの処置及びローラ、センサなどのメンテナンスの処置の為、搬送経路の少なくとも一部を開閉する必要がある。そこで図示のものは上部フレーム７０の一部を開閉カバー７３で構成してある。この開閉カバー７３は給紙スタッカ１４からプラテン１０の読取位置Ｈに至る給紙ガイド１７を開放するように上部フレーム７０に開閉自在のカバー部材を回動自在に取付けて構成する。
【００３８】
そしてこの開閉カバー７３にピックアップローラ２２と分離ローラ１６ａとレジストローラ２５の従動ローラ２５ｂを取付ける。まず開閉カバー７３は外装カバー部８５と給紙機構収納部８６と回動固定アーム８７とを樹脂のモールド成形で一体に設けてある（図６参照）。そして回動固定アーム８７は左右に一対設けられ、軸支ピン８７ａ及び軸受孔８７ｂが設けられている。この軸支ピン８７ａが上部フレーム７０の設けた軸受孔に嵌合し、軸受孔８７ｂに上部フレーム７０に設けた軸支ピン（図示せず）が嵌合し、この嵌合部を中心に開閉カバー７３は上部フレーム７０の湾曲ガイド部７６に開閉自在に取付けられる。
また給紙機構収納部８６には分離ローラ１６ａがその回転軸１６ｃが回動自在となるように組込まれ、この分離ローラ１６ａの回転軸１６ｃとブラケット２３が図示しないバネクラッチを介して連結されている。このブラケット２３の先端にピックアップローラ２２が軸承されている。
【００３９】
従って回転軸１６ｃの正逆転によってブラケット２３は内蔵されたバネクラッチの作用で回転軸１６ｃと一体に揺動し、或いは回転軸１６ｃから遊離して自らの自重で揺動する。また回転軸１６ｃの一方向の回転はワンウェイクラッチを介してベルト、歯車などの伝動機構でピックアップローラ２２を回転する。このピックアップローラ２２の回転方向は給紙スタッカ１４上の原稿を給紙方向に繰出すように設定されている。上記開閉カバー７３にはレジストローラ２５を構成する従動ローラ２５ｂが回動自在に軸受支持されている。これ等のピックアップローラ２２、分離ローラ１６ａ、従動レジストローラ２５ｂはほぼ直線上で給紙スタッカ１４上の原稿の中央（センター基準）に位置するように配置され、分離ローラ１６ａには摩擦パッド１６ｂが、従動レジストローラ２５ｂにはレジストローラを構成する駆動ローラ２５ａがそれぞれ対向するように上部フレーム７０側に取付けてある。
【００４０】
そして上記分離ローラ１６ａの回転軸１６ｃには開閉カバー７３に回動自在に設けた中間伝動軸８８と歯車で連結され、この中間伝動軸８８は歯車８９が前述の駆動ユニット８１に設けた歯車８２（図２参照）と連結してある。この歯車８２は駆動モータＭの正逆転両方向の回転を中間伝動軸８８に伝達する。
【００４１】
以上説明したように下部フレーム４０には原稿押圧部材４３と読取部搬送ガイド１８ａ、１８ｃと読取開口１８ｂが設けられ、略箱型形状で周側縁にフランジ部４０ａ（図８参照）が形成されている。一方上部フレーム７０には給紙スタッカ１４と排紙スタッカ１５が設けられ、給紙ガイド１７と排紙ガイド２７で略Ｕ字状の搬送経路が形成され、この搬送経路にピックアップローラ２２、分離ローラ１６ａ、給紙ローラ２６、排紙ローラ２９が組込まれている。そこで上部フレーム７０と下部フレーム４０とは周側縁のフランジ部４０ａと７０ａとが嵌め合いによって結合され、両者を一体化している。この両者の結合は図８に示す凹凸嵌合に限らず、ビスなどで固定しても良く、またこの両者の結合は周側縁全域で係合することなく、周側縁の適宜個所に結合部を設け、この結合部をビス、蟻ボソ結合などで固定しても良い。つまり上部フレーム７０と下部フレーム４０とは両者が一体的に結合されればその結合個所及び結合方法は種々の構造が採用可能である。
【００４２】
斯様に上述の各機能部品を組込んで結合された上部フレーム７０と下部フレーム４０とはそれぞれにプラテン１０を覆う面、つまり上部フレーム７０の排紙スタッカ１５及び給紙部と下部フレーム４０の原稿押圧部材４３及び読取部搬送ガイド１８（搬入ガイド１８ａ、読取開口１８ｂ、搬出ガイド１８ｃ）が上下に重なって合体する為、フレーム構造が堅牢となる。特に読取部は搬入ガイド１８ａと搬出ガイド１８ｃと原稿押圧部材４３が一体に形成されている為、プラテン１０上で装置を開閉しても読取部の各原稿ガイドが位置ズレ或いは変形する恐れが少なく、またこれ等を個別に形成して組込む場合に生ずる組立時の位置誤差の問題が解消される。
【００４３】
更に上部フレーム７０には給紙スタッカ１４からプラテン１０の読取位置Ｈに原稿を案内する経路を除きその両側部と給紙方向前に逆Ｕ字状の膨出側壁が形成されているから、この膨出側壁の作用で一体化された上部フレーム７０と下部フレーム４０とは更に堅牢となる。またこの膨出側壁には駆動モータＭと伝動機構とが組込まれる為、装置は堅牢にして小型となる。
【図面の簡単な説明】
【００４４】
【図１】（ａ）本発明に係わるドキュメントフィーダの縦断面図であり、同図（ｂ）は読取部搬送ガイドの拡大説明図である。
【図２】図１の装置のフレーム構造の組立分解斜視図である。
【図３】図１の装置の外装カバーを示す斜視図である。
【図４】上部フレームへの構造部品の組込状態の説明図である。
【図５】図１の装置の上部フレームを示す平面図である。
【図６】上部フレームの開閉カバーを示す斜視図である。
【図７】図１の装置の下部フレームを示す斜視図である。
【図８】上部フレームと下部フレームの結合状態を示す説明図である。
【符号の説明】
【００４５】
１０  プラテン
１３  光電変換素子（光電変換手段）
１４  給紙スタッカ
１５  排紙スタッカ
１６  分離手段
１７  給紙ガイド
１８  読取部搬送ガイド（１８ａ搬入ガイド、１８ｂ読取開口、１８ｃ搬出ガイド）
２５  レジストローラ
２５ｃ、２６ｃ、２９ｃ  回転軸
２６  給送ローラ
２７  排紙ガイド
２９  排紙ローラ
４０  下部フレーム
４２  側壁部
４３  原稿押圧部材
７０  上部フレーム
７１  フランジ
７３  開閉カバー
７７  膨出側壁
７８ａ、７８ｂ  側板フレーム
７９、８０  ヒンジ
８１  搬送ユニット
８７  回動固定アーム
Ｈ  読取位置
Ｍ  駆動モータ
【図１】
2006036505.tif 000003
【図２】
2006036505.tif 000004
【図３】
2006036505.tif 000005
【図４】
2006036505.tif 000006
【図５】
2006036505.tif 000007
【図６】
2006036505.tif 000008
【図７】
2006036505.tif 000009
【図８】
2006036505.tif 000010